(57)【要約】【課題】  表表紙板や裏表紙板を構成する板材を軽くて強い構造にし、耐久性を向上すると共に軽量で取扱いやすいファイルを提供する。【解決手段】  本ファイルＡは、背表紙板１０の左右端にそれぞれ折り曲げ自在に形成する表表紙板１１と裏表紙板１２とを構成する板材１と、背表紙板１０の内面に取付けられて書類等を綴じる綴じ具２ａとを備える。上記板材１は、発泡プラスチックシートＳ１の表裏両面それぞれに結合層Ｓ２を介在させて各結合層Ｓ２上に前記発泡プラスチックシートＳ１よりも薄く形成された硬性プラスチックシートＳ３を積層させて５層構造のシートとし、該５層構造のシートを圧縮成形して形成された５層圧縮複合プラスチックシートＳで構成される。従って、ファイルＡにおいて、耐久性に優れ、且つ軽量で取扱いやすいものが得られる。【選択図】  図１
0003105305.tif 000002
【実用新案登録請求の範囲】
【請求項１】
背表紙板の左右端にそれぞれ折り曲げ自在に形成した表表紙板および裏表紙板を構成する板材と、この板材の内面に取付けられて用紙等を綴じる綴じ具とを備えたファイルにおいて、
上記板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするファイル。
【請求項２】
背表紙板の左右端にそれぞれ折り曲げ自在に形成した表表紙板および裏表紙板を構成する板材と、背表紙板の内面に溶着されて書類等の用紙を収容させるプラスチック製の中袋とを備えたファイルにおいて、
上記板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするファイル。
【請求項３】
板材からなり内側端に折り返し片を設けた表表紙板と、板材からなり内側端に折り返し片を設けた裏表紙板と、表表紙板と裏表紙板との折り返し片の間に配置されたシート状の背表紙と、表表紙板と裏表紙板の折り返し片の間に背表紙と共に綴じられたアルバム台紙等の台紙とを備えたファイルにおいて、
上記表表紙板と上記裏表紙板とを構成する板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするファイル。
【請求項４】
請求項１ないし３のいずれかに記載のファイルにおいて、
上記板材を構成する５層圧縮複合プラスチックシートは、上記発泡プラスチックシートが発泡ＡＢＳであり、上記結合層がポリカーボネートとＡＢＳの複合樹脂素材であり、上記硬性プラスチックシートがポリカーボネートであるファイル。
【請求項５】
請求項１ないし４のいずれかに記載のファイルにおいて、
上記板材は、表面側と裏面側の一番外側の硬性プラスチックシートを色違いに形成した５層圧縮複合プラスチックシートで構成されていることを特徴とするファイル。
【考案の詳細な説明】
【技術分野】
【０００１】
本考案は、ファイルに関し、詳しくはファイルの表表紙板や裏表紙板を構成する板材が軽く且つ強化されたものに関する。
【背景技術】
【０００２】
一般に、ファイルは、板材からなる表表紙板と裏表紙板を有し、この表表紙板と裏表紙板との間に書類等の用紙、中袋、台紙等を収容させているものである。
このようなファイルとして、例えば、上記の表表紙板と裏表紙板とを、綴じ具を取付けた背表紙板の左右端にそれぞれ折り曲げ自在に一体に形成し、上記綴じ具に書類等を綴じる形式のものや、背表紙には、綴じ具を取付けることなく複数枚の中袋を溶着し、この中袋に書類等の用紙を挿入させる形式のもの等がある。
また、アルバムの如く、表表紙板と裏表紙板とを別々に構成し、それらの内側端に折り返し片を設け、表表紙板と裏表紙板との折り返し片の間に背表紙と共にアルバム用台紙を綴じる形式のファイル等もある。
【考案の開示】
【考案が解決しようとする課題】
【０００３】
ところで、このようなファイルの表表紙板や裏表紙板は、厚紙または単層の硬性プラスチックシートからなる板材で構成されているため、比較的もろく衝撃を受けると折れ曲がりやすいものである。そのため、ファイルを書棚等に入れるときや誤って落下させたとき等に、とりわけ衝撃を受けやすい表表紙板や裏表紙板のコーナ部が折れ曲り、以後の使用に耐え得なくなってしまう不都合があった。
【０００４】
一方、ファイルの表表紙板や裏表紙板の強度を確保するため、その厚みを分厚く形成することも考えられるが、そうすると、ファイル自体が重くなり、更に書類等を収容させると重量が増すので取扱い難くなる不都合がある。
本考案は、上記事情に鑑みてなされたものであり、表表紙板や裏表紙板を構成する板材を軽くて強い構造にし、耐久性を向上すると共に軽量で取扱いやすいファイルを提供するものである。
【課題を解決するための手段】
【０００５】
（１）本考案（請求項１）に係るファイルは、背表紙板の左右端にそれぞれ折り曲げ自在に形成した表表紙板および裏表紙板を構成する板材と、この板材の内面に取付けられて用紙等を綴じる綴じ具とを備えたファイルにおいて、
上記板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするものである。
【０００６】
これにより、背表紙板、表表紙板および裏表紙板を構成する上記板材を上記５層圧縮複合プラスチックシートで構成するので、従来の厚紙や単層の硬性プラスチックシートで構成するものに比して、背表紙板、表表紙板および裏表紙板の強度を高くすることができる。また、上記５層圧縮複合プラスチックシートにおいては、発泡プラスチックシートと硬性プラスチックシートとの間に結合層を介在させることで、発泡プラスチックシートと硬性プラスチックシートとの結合が強化され、従来困難であった材質の異なる発泡プラスチックシートと硬性プラスチックシートであっても強力に両者を結合させることができる。しかも、上記５層圧縮複合プラスチックシートは、発泡プラスチックシートの表裏両面それぞれに積層させた硬性プラスチックシートを該発泡プラスチックシートよりも薄く形成するので、背表紙板、表表紙板および裏表紙板の厚みを分厚くすることなく、その強度を高くすることができる。従って、本ファイルを書棚等に入れるときや誤って落下させたとき等にあっても、衝撃を受けやすい表表紙板や裏表紙板のコーナ部が折れ曲り難く、ファイルの耐久性を格段に向上することができる。
【０００７】
また、上記板材を構成する５層圧縮複合プラスチックシートには、発泡プラスチックシートを含み、しかも、硬性プラスチックシートを該発泡プラスチックシートよりも薄く形成するので、従来の厚紙または単層の硬性プラスチックシートからなる板材で表表紙板や裏表紙板等を構成するものに比して軽くすることができる。
さらに、上記５層圧縮複合プラスチックシートは、発泡プラスチックシートと硬性プラスチックシートとの間に結合層を介在させるので、これによって発泡プラスチックシートと硬性プラスチックシートとの結合を強化することができる。従って、本ファイルを書棚等に頻繁に出し入れ等しても、擦れやすい表表紙板や裏表紙板における表面や裏面の硬性プラスチックシートが剥がれてくるようなことも確実に防止することができる。
すなわち、上記５層圧縮複合プラスチックシートによって構成された板材は、軽量且つ高強度で、表面の硬性プラスチックシートが剥がれ難いといった高性能を獲得することができる。
よって、耐久性に優れ、且つ軽量で取扱いやすいファイルを得ることができる。
【０００８】
（２）本考案（請求項２）に係るファイルは、背表紙板の左右端にそれぞれ折り曲げ自在に形成した表表紙板および裏表紙板を構成する板材と、背表紙板の内面に溶着されて書類等の用紙を収容させるプラスチック製の中袋とを備えたファイルにおいて、
上記板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするものである。
これにより、上記請求項１のものと同様の作用効果を奏することに加えて、上記プラスチック製の中袋は、発泡プラスチックシートに対しては安定して溶着できないが、上記板材を上記５層圧縮複合プラスチックシートで構成するので、該中袋は、上記５層圧縮複合プラスチックシートにおける表面層の硬性プラスチックシートに対して安定して溶着させることができる。従って、本ファイルの使用時にあっても、プラスチック製の中袋が背表紙板から剥がれ難くなり、ファイルの耐久性を格段に向上することができる。
【０００９】
（３）本考案（請求項３）によるファイルは、板材からなり内側端に折り返し片を設けた表表紙板と、板材からなり内側端に折り返し片を設けた裏表紙板と、表表紙板と裏表紙板との折り返し片の間に配置されたシート状の背表紙と、表表紙板と裏表紙板の折り返し片の間に背表紙と共に綴じられたアルバム台紙等の台紙とを備えたファイルにおいて、
上記表表紙板と上記裏表紙板とを構成する板材は、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成されていることを特徴とするものである。
これにより、上記請求項１のものと同様の作用効果を奏することができ、よって、耐久性に優れ、且つ軽量で取扱いやすいファイルを得ることができる。
【００１０】
（４）本考案（請求項４）によるファイルは、上記ファイル（請求項１ないし３のいずれか）において、
上記板材を構成する５層圧縮複合プラスチックシートは、上記発泡プラスチックシートが発泡ＡＢＳであり、上記結合層がポリカーボネートとＡＢＳの複合樹脂素材であり、上記硬性プラスチックシートがポリカーボネートである。
これにより、上記板材としては、軽量且つ高強度で、表面の硬性プラスチックシートが剥がれ難いといった高性能を確実に獲得することができる。
【００１１】
（５）本考案（請求項５）によるファイルは、上記ファイル（請求項１ないし４のいずれか）において、
上記板材は、表面側と裏面側の一番外側の硬性プラスチックシートを色違いに形成した５層圧縮複合プラスチックシートで構成されていることを特徴とするものである。
従来の単層プラスチックシートでは、ファイルの外面と内面とは同一色で形成され、単調なデザインであったが、表表紙板や裏表紙板等を構成する板材を上記５層圧縮複合プラスチックシートで構成し、該５層圧縮複合プラスチックシートの表面側と裏面側の一番外側の硬性プラスチックシートを色違いにすることで、ファイルの外面色と内面色とを異ならしめたリバーシブル色にしたり、ファイルの外面と内面とに色の異なる模様等を施すことができる。従って、デザイン的にも斬新で、見栄えのよいファイルを得ることができる。
【考案の効果】
【００１２】
以上のように、本考案によれば、表表紙板や裏表紙板等を構成する板材としては、発泡プラスチックシートの表裏両面それぞれに結合層を介在させて各結合層上に前記発泡プラスチックシートよりも薄く形成された硬性プラスチックシートを積層させて５層構造のシートとし、該５層構造のシートを圧縮成形して形成された５層圧縮複合プラスチックシートで構成するようにしたので、衝撃を受けやすい表表紙板や裏表紙板のコーナ部が折れ曲り難くなり、且つ従来の厚紙または単層の硬性プラスチックシートからなる板材で表表紙板や裏表紙板等を構成するものに比して格段に軽くて強いものにすることができる。
従って、ファイルにおいて、耐久性に優れ、且つ軽量で取扱いやすいものが得られるという効果がある。
【考案を実施するための最良の形態】
【００１３】
以下に、本考案の実施の形態について添付図面を参照しながら説明する。
図１に示したファイルＡは、背表紙板１０の左右端にそれぞれ折り曲げ自在に形成する表表紙板１１と裏表紙板１２とを構成する板材１と、背表紙板１０の内面にビス等で取付けられて用紙等を綴じる綴じ具２ａとを備える形式のファイルである。上記綴じ具２ａは、２穴対応の書類等の用紙、中袋、台紙等を綴じることができるように、２本のパイプにピンを通すようにしたいわゆるパイプ式の綴じ具である。
【００１４】
図２に示したファイルＢは、背表紙板１０の左右端にそれぞれ折り曲げ自在に形成する表表紙板１１と裏表紙板１２とを構成する板材１と、背表紙板１０の内面にビス等で取付けられて用紙等を綴じる綴じ具２ｂとを備える形式のファイルであって、上記綴じ具２ｂとして、３０穴対応の書類等の用紙、中袋、台紙等を綴じることができるように、レバー操作等により左右に開閉するリングを３０個設けたいわゆるバインダー式の綴じ具を採用したものである。なお、このバインダー式の綴じ具２ｂにあっては、２６穴対応などその他種々の穴数対応のものであってもよい。
【００１５】
図３に示したファイルＣは、背表紙板１０の左右端にそれぞれ折り曲げ自在に形成する表表紙板１１と裏表紙板１２とを構成する板材１と、裏表紙板１２における背表紙板１０との折り曲げ部付近の内面にビス等で取付けられて用紙等を綴じる綴じ具２ｃとを備える形式のファイルである。上記綴じ具２ｃは、レバーの揺動操作によって２つのリングを開閉させ、この２つのリングに２穴対応の書類等の用紙、中袋、台紙等を通し且つ押え板によって用紙等を押えて綴じるようにしたいわゆるレバー式の綴じ具である。
【００１６】
図４に示したファイルＤは、背表紙板１０の左右端にそれぞれ折り曲げ自在に形成する表表紙板１１と裏表紙板１２とを構成する板材１を備えるが、図１〜図３のものの如き綴じ具２ａ，２ｂ，２ｃを設けずに、背表紙材１０の内面に書類等の用紙を収容させるプラスチック製の中袋３が複数枚溶着されたファイルである。
【００１７】
図５、図６に示したファイルＥは、板材１ａからなり内側端に折り返し片１１０を設けた表表紙板１１ａと、板材１ａからなり内側端に折り返し片１２０を設けた裏表紙板１２ａと、表表紙板１１ａと裏表紙板１２ａとの折り返し片１１０，１２０の間に配置されたシート状の背表紙１００と、表表紙板１１ａと裏表紙板１２ａとの折り返し片１１０，１２０の間にピン等により背表紙１００と共に綴じられたアルバム台紙等の台紙４とを備えたアルバム形式のファイルである。上記背表紙１００は、その左右の外側端近傍には、表表紙板１１ａと裏表紙板１２ａとの折り返し片１１０，１２０に設けたピン通し孔１１１，１２１と対応させた孔部１０１，１０２を設けるが、その一方の孔部１０２が長孔に形成されており、この長孔に形成された孔部１０２によって、綴じ込む台紙４の枚数に応じて背表紙１００の幅調整ができるように構成されている。
【００１８】
そして、上記いずれもファイルＡ〜Ｅにおいても、背表紙板１０、表表紙板１１および裏表紙板１２を構成する上記板材１（図５、図６に示すファイルＥは表表紙板１１ａおよび裏表紙板１２ａを構成する板材１ａである。）は、発泡プラスチックシートＳ１の表裏両面それぞれに結合層Ｓ２を介在させて各結合層Ｓ２上に前記発泡プラスチックシートＳ１よりも薄く形成された硬性プラスチックシートＳ３を積層させて５層構造のシートとし、該５層構造のシートを圧縮成形して形成された５層圧縮複合プラスチックシートＳで構成されている。
そして、上記板材１，１ａは、表面側と裏面側に配置される硬性プラスチックシートＳ３，Ｓ３を色違いに形成した５層圧縮複合プラスチックシートＳで構成されているが、これらの硬性プラスチックシートＳ３，Ｓ３を同一色に形成してもよい。
【００１９】
この５層圧縮複合プラスチックシートＳについて、以下に説明する。
この５層圧縮複合プラスチックシートＳは、例えば、図７に示すように、発泡プラスチックシートＳ１の両面に結合層Ｓ２を介在させて硬性プラスチックシートＳ３を積層した５層構造の複合シートとして形成される。
上記発泡プラスチックシートＳ１としては、発泡プラスチックシートに形成できる種々の素材樹脂が使用され、工程プラスチック、非工程プラスチックまたは再生材料等が使用される。なお、この発泡プラスチックシートＳ１の製造に際して、材料樹脂と共に既知の発泡剤を混合して化学発泡させて得る他に、二酸化炭素にブタンを混合したガスをその溶融樹脂材料中に混入させて物理発泡させて得るができる。この物理発泡によれば、軽量で、強度に優れ、且つ低コストな発泡プラスチックシートＳ１を得ることができる。また、この発泡プラスチックシートＳ１における発泡度は、低発泡、高発泡等のように種々設定することができるが、低発泡にすれば弾性吸収性や強度等の点で有利である。
【００２０】
また、上記硬性プラスチックシートＳ３としては、非発泡プラスチックシートに形成できる種々の素材樹脂が使用され、工程プラスチック、非工程プラスチック等が使用される。
また、上記結合層Ｓ２は、上記発泡プラスチックシートＳ１と上記硬性プラスチックシートＳ３との結合を強化するものであり、この結合を担保できる樹脂素材であれば種々のものが使用され、例えば、極性プラスチック、熱可塑性プラスチック等が使用される。
そして、上記発泡プラスチックシートＳ１、上記硬性プラスチックシートＳ３および上記結合層Ｓ２に使用される素材樹脂としては、種々の熱可塑性樹脂、種々の熱硬化性樹脂が使用される。
【００２１】
熱可塑性プラスチックとしては、例えば、炭化水素系プラスチック（非極性プラスチック）、極性ビニル系プラスチック（ビニル基を持つモノマーの重合体）、線状構造プラスチック（エンジニアリングプラスチック）、セルロース系プラスチック（セルロース誘導体）、熱可塑性エラストマー等が挙げられる。
上記炭化水素系プラスチックとしては、例えば、ポリエチレン（高密度ポリエチレン、低密度ポリエチレン、中密度ポリエチレン、線状ポリエチレン等）、ポリプロピレン、ポリメチルペンテン、ポリブテン、結晶性ポリブタジエン等の結晶性のものや、ポリスチレン、ポリブタジエン、スチレンブタジエン樹脂等の非晶性のもの等が挙げられる。
【００２２】
上記極性ビニル系プラスチックとしては、例えば、ポリ塩化ビニル、ポリ酢酸ビニル、ポリ塩化ビニリデン、エチレン酢酸ビニル共重合体（ＥＶＡ、ＡＳ、ＡＢＳ、アイオノマー、ＡＡＳ、ＡＣＳ等）、ポリメチルメタクリレート（アクリル）、ポリテトラフルオロエチレン、エチレンポリテトラフルオロエチレン共重合体等が挙げられる。
上記線状構造プラスチックとしては、例えば、ポリアセタール（ポリオキシメチレン）、ポリアミド、ポリカーボネート、ポリフェニレンエーテル、ポリエチレンテレフタレート、ポリブチレンテレフタレート、ポリアリレート（Ｕポリマー）、ポリスチレン、ポリエーテルスルホン、ポリイミド、ポリアミドイミド、ポリフェニレンスルフィド、ポリオキシベンゾイル、ポリエーテルエーテルケトン、ポリエーテルイミド、その他液晶ポリエステル等が挙げられる。
【００２３】
上記セルロース系プラスチックとしては、例えば、酢酸セルロース、酢酪酸セルロース、セロファン、セルロイド等が挙げられる。
上記熱可塑性エラストマーとしては、例えば、スチレン・ブタジエン系エラストマー、ポリオレフィン系エラストマー、ウレタン系エラストマー、ポリエステル系エラストマー、ポリアミド系エラストマー、１，２−ポリブタジエン、ポリ塩化ビニル系エラストマー、アイオノマー等が挙げられる。
また、熱硬化性樹脂としては、例えば、ホルムアルデヒド樹脂（ホルムアルデヒドとの縮合反応で架橋・硬化を行うタイプ）、架橋型樹脂（架橋をホルムアルデヒドとの縮合以外の反応を利用するタイプ）のものが挙げられる。
【００２４】
上記ホルムアルデヒド樹脂としては、例えば、フェノール樹脂や、ユリア樹脂、メラミン樹脂、ベンゾグアナミン樹脂等のアミノ樹脂等が挙げられる。
上記架橋型樹脂としては、例えば、不飽和ポリエステル樹脂、ジアリルフタレート樹脂（アリル樹脂）、アルキド樹脂、エポキシ樹脂、ウレタン樹脂（ポリウレタン）、ケイ素樹脂（シリコン）等が挙げられる。
そして、上記５層圧縮複合プラスチックシートＳとしては、発泡プラスチックシートＳ１と硬性プラスチックシートＳ３との素材が同種のものでも異種のものでもよく、例えば、同種素材であっても異種素材であっても押出成形によって５層構造のシートとし、この５層構造のシートを圧縮成形することにより製造することができる。これにより、軽量且つ高強度のプラスチックシートを効率よく且つ低コストで得ることができる。
【００２５】
また、この５層圧縮複合プラスチックシートＳにおいて、この結合層Ｓ２を上記発泡プラスチックシートＳ１と上記硬性プラスチックシートＳ３との間に介在させることで、材質の異なる発泡プラスチックシートＳ１と硬性プラスチックシートＳ３であっても強力に結合させることができる。その結果、上記５層圧縮複合プラスチックシートＳは、上記発泡プラスチックシートＳ１の両面に上記硬性プラスチックシートＳ３を積層させただけの３層複合プラスチックシートや、硬性プラスチックシートまたは厚紙等の単体シートよりも軽量で、強度の高い高性能な複合プラスチックシートにすることができる。
また、上記発泡プラスチックシートＳ１は、再生材料で製造することで、環境対応の条件にも適うことができる。さらには、上記発泡プラスチックシートＳ１、上記硬性プラスチックシートＳ３、上記結合層Ｓ２における樹脂素材を生分解性プラスチックシートで製造することもでき、この場合も環境対応の条件にも適うことができる。
【００２６】
そして、上記５層圧縮複合プラスチックシートＳとしては、軽量且つ高強度で、しかも低コスト化を図る点で、中央の発泡プラスチックシートＳ１が発泡ＡＢＳであり、この発泡プラスチックシートＳ１の表裏面に積層する硬性プラスチックシートＳ３がポリカーボネートとＡＢＳの複合樹脂素材であり、表裏の最外層の硬性プラスチックシートＳ３がポリカーボネートである層構造のもの（ＰＣ／ＰＣ＋ＡＢＳ／発泡ＡＢＳ／ＰＣ＋ＡＢＳ／ＰＣ）が好ましく使用される。
このような、５層圧縮複合プラスチックシートＳによれば、同じ厚みを有する単一の硬性プラスチックシートに比して、その重量を２０％〜５０％軽減することができ、軽量化に大きく寄与することができる。しかも、５層圧縮複合プラスチックシートＳは、表裏両表面に硬性プラスチックシートＳ３を貼り合せることで、このシート剛性を大幅に高めることができ、強度の向上にも大きく寄与することができる。
【００２７】
また、上記５層圧縮複合プラスチックシートＳは、発泡プラスチックシートＳ１と硬性プラスチックシートＳ３との間に結合層Ｓ２を介在させるようにすれば、発泡プラスチックシートＳ１と硬性プラスチックシートＳ３，Ｓ３との結合を強化することができる。
また、上記５層圧縮複合プラスチックシートＳは、表裏両表面に硬性プラスチックシートＳ３を貼り合せるので、この硬性プラスチックシートＳ３を種々着色することで、５層圧縮複合プラスチックシートＳの表面側と裏面側の一番外側の硬性プラスチックシートＳ３，Ｓ３を色違いに形成することもできる。もちろん、表裏両表面に硬性プラスチックシートＳ３が同一色であってもよい。
【００２８】
以上のように、本実施の形態によるファイルＡ〜Ｅによれば、背表紙板１０、表表紙板１１および裏表紙板１２を構成する上記板材１（図５、図６に示すファイルＥは表表紙板１１ａおよび裏表紙板１２ａを構成する板材１ａである。）を上記５層圧縮複合プラスチックシートＳで構成するので、従来の厚紙や単層の硬性プラスチックシートで構成するものに比して、背表紙板１０、表表紙板１１，１１ａおよび裏表紙板１２，１２ａの強度を高くすることができる。また、上記５層圧縮複合プラスチックシートＳにおいては、発泡プラスチックシートＳ１と硬性プラスチックシートＳ３との間に結合層Ｓ２を介在させることで、発泡プラスチックシートＳ１と硬性プラスチックシートＳ３との結合が強化され、従来困難であった材質の異なる発泡プラスチックシートＳ１と硬性プラスチックシートＳ３であっても強力に両者を結合させることができる。しかも、上記５層圧縮複合プラスチックシートＳは、発泡プラスチックシートＳ１の表裏両面それぞれに積層させた硬性プラスチックシートＳ３を該発泡プラスチックシートＳ１よりも薄く形成するので、背表紙板１０、表表紙板１１，１１ａおよび裏表紙板１２，１２ａの厚みを分厚くすることなく、その強度を高くすることができる。従って、本ファイルＡ〜Ｅを書棚等に入れるときや誤って落下させたとき等にあっても、衝撃を受けやすい表表紙板１１，１１ａや裏表紙板１２，１２ａのコーナ部が折れ曲り難く、ファイルＡ〜Ｅの耐久性を格段に向上することができる。
【００２９】
また、上記板材１を構成する５層圧縮複合プラスチックシートＳには、発泡プラスチックシートＳ１を含み、しかも、硬性プラスチックシートＳ３を該発泡プラスチックシートＳ１よりも薄く形成するので、従来の厚紙または単層の硬性プラスチックシートＳ１からなる板材１で背表紙板、表表紙板や裏表紙板等を構成するものに比して軽くすることができる。
すなわち、上記５層圧縮複合プラスチックシートＳによって構成された板材１は、軽量且つ高強度で、表面の硬性プラスチックシートＳ３が剥がれ難いといった高性能を獲得することができる。よって、耐久性に優れ、且つ軽量で取扱いやすいファイルを得ることができる。
【００３０】
このように、本実施の形態のファイルＡ〜Ｅによれば、表表紙板１１，１１ａや裏表紙板１２，１２ａ等を構成する板材１，１ａとしては、発泡プラスチックシートＳ１の表裏両面それぞれに結合層Ｓ２を介在させて各結合層Ｓ２上に前記発泡プラスチックシートＳ１よりも薄く形成された硬性プラスチックシートＳ３を積層させて５層構造のシートとし、該５層構造のシートを圧縮成形して形成された５層圧縮複合プラスチックシートＳで構成するようにしたので、特に衝撃を受けやすい表表紙板１１，１１ａや裏表紙板１２，１２ａのコーナ部が折れ曲り難くなり、且つ従来の厚紙または単層の硬性プラスチックシートからなる板材で表表紙板や裏表紙板等を構成するものに比して軽くすることができる。従って、ファイルＡ〜Ｅにおいて、耐久性に優れ、且つ軽量で取扱いやすいものが得られるという効果がある。
【００３１】
また、従来の単層プラスチックシートでは、ファイルの外面と内面とは同一色で形成され、単調なデザインであったが、表表紙板１１，１１ａや裏表紙板１２，１２ａ等を構成する板材１，１ａを上記５層圧縮複合プラスチックシートＳで構成し、該５層圧縮複合プラスチックシートＳの表面側と裏面側の一番外側の硬性プラスチックシートＳ３，Ｓ３を色違いに形成することで、ファイルＡ〜Ｅの外面色と内面色とを異ならしめたリバーシブル色にしたり、ファイルＡ〜Ｅの外面と内面とに様々な模様等を施すことができる。従って、デザイン的にも斬新で、見栄えのよいファイルを得ることができる。
【００３２】
一方、上記板材１を構成する５層圧縮複合プラスチックシートＳは、発泡プラスチックシートＳ１と硬性プラスチックシートＳ３との間に結合層Ｓ２を介在させることで、発泡プラスチックシートＳ１と硬性プラスチックシートＳ３，Ｓ３との結合を強化することができる。従って、本ファイルＡ〜Ｅを書棚等に頻繁に出し入れ等しても、擦れやすい表表紙板１１，１１ａや裏表紙板１２，１２ａにおける表面や裏面の硬性プラスチックシートＳ３，Ｓ３が剥がれてくるようなことも確実に防止し、さらに耐久性を向上することができる。
【００３３】
また、図４に示したファイルＤにおいて、上記プラスチック製の中袋３は、発泡プラスチックシートＳ１に対しては安定して溶着できないが、上記板材１を上記５層圧縮複合プラスチックシートＳで構成するので、該中袋３は、上記５層圧縮複合プラスチックシートＳにおける最外層の硬性プラスチックシートＳ３に対して安定して溶着させることができる。従って、本ファイルＣの使用時にあっても、プラスチック製の中袋３が背表紙板１０から剥がれ難くなり、ファイルＣの耐久性を格段に向上することができる。
なお、本考案は、上記実施の形態のものに限定されず、考案の範囲内で種々の設計変更を施すことが可能である。
【００３４】
例えば、本考案に係るファイルは、図１〜図３に示したファイルＡ〜Ｃに用いられるような綴じ具２ａ，２ｂ，２ｃに限らず、Ｚ型綴じ具、リング型綴じ具等の種々の綴じ具を用いることができ、また、用箋はさみ式の綴じ具を裏表紙板１２の上端または外側端等に取付けるようにするなど、綴じ具の種類やその取付け位置を任意に設定することができる。
また、図１〜図３等の示した綴じ具付きのファイルＡ〜Ｃにおいて、綴じ具２ａ，２ｂ，２ｃは、背表紙板１０または裏表紙板１２から簡易に取外し可能に取付けられて、綴じ具２ａ，２ｂと板材１とを容易に分別廃棄できるようにしてもよい。
【図面の簡単な説明】
【００３５】
【図１】実施の形態によるファイルであって、パイプ式綴じ具を有するファイルの開いた状態を示す斜視図である。
【図２】実施の形態によるファイルであって、バインダー式綴じ具を有するファイルの開いた状態を示す斜視図である。
【図３】実施の形態によるファイルであって、レバー式綴じ具を有するファイルの開いた状態を示す斜視図である。
【図４】実施の形態によるファイルであって、複数枚の中袋を溶着したファイルの開いた状態を示す斜視図である。
【図５】実施の形態によるファイルであって、表表紙板と裏表紙板とが分離して構成されてアルバム台紙等の台紙を挟持させるアルバム形式のファイルの開いた状態を示す斜視図である。
【図６】図４のアルバム形式のファイルであって、分解した状態を示す斜視図である。
【図７】板材を構成する５層圧縮複合プラスチックシートＳの構造を示す断面図である。
【符号の説明】
【００３６】
１，１ａ  板材
２ａ，２ｂ，２ｃ  綴じ具
３  中袋
４  台紙
１０  背表紙板
１１，１１ａ  表表紙板
１２，１２ａ  裏表紙板
Ａ，Ｂ，Ｃ，Ｄ  ファイル
Ｓ１  発泡プラスチックシート
Ｓ２  結合層
Ｓ３  硬性プラスチックシート
【図１】
0003105305.tif 000003
【図２】
0003105305.tif 000004
【図３】
0003105305.tif 000005
【図４】
0003105305.tif 000006
【図５】
0003105305.tif 000007
【図６】
0003105305.tif 000008
【図７】
0003105305.tif 000009